(57)【要約】【課題】  水圧鉄管の設備工事の管理がし易く、工事の進捗状況を迅速に把握することができる鉄管設備の工事管理シート、工事管理方法及び工事管理装置を提供する。【解決手段】  鉄管設備の工事管理シート１は、複数の鉄管で構成される鉄管設備２の全体構成を表示する全体構成表示部と、この全体構成表示部に表示された各鉄管の番号及び種類と各鉄管ごとの設計、材料手配、製作及び据付の各工程とを項目として表示する項目表示部３と、前記鉄管設備の工事において各鉄管ごとに前記各工程の完了を異なる色で表示する進捗状況表示部５とを有する。【選択図】  図１
2007058441.tif 000002
【特許請求の範囲】
【請求項１】
複数の鉄管で構成される鉄管設備の全体構成を表示する全体構成表示部と、該全体構成表示部に表示された各鉄管の番号及び種類と各鉄管ごとの設計、材料手配、製作及び据付の各工程とを項目として表示する項目表示部と、前記鉄管設備の工事において各鉄管ごとに前記各工程の完了を異なる色で表示する進捗状況表示部とを有することを特徴とする鉄管設備の工事管理シート。
【請求項２】
前記全体構成表示部は、各鉄管の位置及び／又は管径が視覚的に認識される形で前記鉄管設備を表示していることを特徴とする請求項１記載の工事管理シート。
【請求項３】
前記全体構成表示部に表示される全体構成は、コンピュータにより前記鉄管設備の設計データから自動生成されたものであることを特徴とする請求項１又は２記載の工事管理シート。
【請求項４】
複数の鉄管で構成される鉄管設備の全体構成を表示するステップと、
該全体構成に表された各鉄管の番号及び種類と各鉄管ごとの設計、材料手配、製作及び据付の各工程とを項目として表示するステップと、
前記鉄管設備の工事において各鉄管ごとに前記各工程の完了を異なる色で表示するステップと、
を含むことを特徴とする鉄管設備の工事管理方法。
【請求項５】
前記全体構成を表示するステップでは、各鉄管の位置及び／又は管径が視覚的に認識される形で前記鉄管設備の全体図を表示することを特徴とする請求項４記載の工事管理方法。
【請求項６】
複数の鉄管で構成される鉄管設備の全体構成と、該全体構成に表わされた各鉄管の番号及び種類と各鉄管ごとの設計、材料手配、製作及び据付の各工程とを含む項目と、前記鉄管設備の工事において各鉄管ごとに前記各工程の完了を異なる色で表示することによって視覚的に認識される進捗状況とを画面に表示するための表示手段を備えたことを特徴とする鉄管設備の工事管理装置。
【請求項７】
前記鉄管設備の設計データ及び前記鉄管設備の工事において各鉄管ごとに前記各工程が完了したことを示す工事データを入力するデータ取り込み手段と、入力された設計データから前記全体構成を自動作成し、かつ前記設計データと前記工事データから工事の進捗度を算出して前記表示手段に表示させる演算手段とを備えたことを特徴とする請求項６記載の工事管理装置。
【発明の詳細な説明】
【技術分野】
【０００１】
本発明は、水力発電所等に設置される鉄管設備の工事進捗状況を管理するためのシート、管理方法及び管理装置に関する。
【背景技術】
【０００２】
従来、水力発電所の土木工事のように大規模な設備工事を管理するため、多くの場合、縦軸に作業内容、横軸に時間を示して、その作業内容と時間との交点に数字、マーク、色、記号等によって工事の進捗状況を表記する図表が使用されている。
【発明の開示】
【発明が解決しようとする課題】
【０００３】
しかしながら、水力発電所の水圧鉄管設備に関しては、同じ形状の鉄管が複数個接続して工事されるため、工事の進捗状況を逐一言葉で表現する従来のやり方では、工事の管理が難しく、熟練者でなければ誤解や錯覚を引き起こし易いという問題があった。
【０００４】
本発明の目的は、鉄管設備工事を管理するための手段として、工事の進捗状況を素早く的確に把握できる管理シート、管理方法及び管理装置を提供することにある。
【課題を解決するための手段】
【０００５】
本発明の鉄管設備の工事管理シートは、複数の鉄管で構成される鉄管設備の全体構成を表示する全体構成表示部と、該全体構成表示部に表示された各鉄管の番号及び種類と各鉄管ごとの設計、材料手配、製作及び据付の各工程とを項目として表示する項目表示部と、前記鉄管設備の工事において各鉄管ごとに前記各工程の完了を異なる色で表示する進捗状況表示部とを有することを特徴とする。
【０００６】
好適な形態では、工事管理シートは、前記全体構成表示部が、各鉄管の位置及び／又は管径が視覚的に認識される形で前記鉄管設備を表示していることを特徴とする。
【０００７】
別の形態では、工事管理シートは、前記全体構成表示部に表示される全体構成が、コンピュータにより前記鉄管設備の設計データから自動生成されたものであることを特徴とする。
【０００８】
本発明の鉄管設備の工事管理方法は、複数の鉄管で構成される鉄管設備の全体構成を表示するステップと、該全体構成に表された各鉄管の番号及び種類と各鉄管ごとの設計、材料手配、製作及び据付の各工程とを項目として表示するステップと、前記鉄管設備の工事において各鉄管ごとに前記各工程の完了を異なる色で表示するステップとを含むことを特徴とする。
【０００９】
本発明方法の好ましい態様は、前記全体構成を表示するステップにおいて、各鉄管の位置及び／又は管径が視覚的に認識される形で前記鉄管設備の全体図を表示することを特徴とする。
【００１０】
本発明の鉄管設備の工事管理装置は、複数の鉄管で構成される鉄管設備の全体構成と、該全体構成に表わされた各鉄管の番号及び種類と各鉄管ごとの設計、材料手配、製作及び据付の各工程とを含む項目と、前記鉄管設備の工事において各鉄管ごとに前記各工程の完了を異なる色で表示することによって視覚的に認識される進捗状況とを画面に表示するための表示手段を備えたことを特徴とする。
【００１１】
本発明装置の好ましい態様は、前記鉄管設備の設計データ及び前記鉄管設備の工事において各鉄管ごとに前記各工程が完了したことを示す工事データを入力するデータ取り込み手段と、入力された設計データから前記全体構成を自動作成し、かつ前記設計データと前記工事データから工事の進捗度を算出して前記表示手段に表示させる演算手段とを備えたことを特徴とする。
【発明の効果】
【００１２】
本発明によれば、鉄管設備の全体構成を示す表示から工事の進捗状況を視覚的に把握することができるので、熟練者だけでなく新入社員や経験の浅い不慣れな社員にとっても管理し易く便利である。特に、水圧鉄管のように複数個の管部材から構成され、管部材毎の差異を認識し難い鉄管設備においては、全体構成を認識した上で工事の進捗状況がすぐにわかるので、工事の管理に非常に有効である。
【００１３】
また、本発明の工事管理シート、管理方法及び装置は、新規に鉄管設備を設置したり増設する場合だけでなく、既設の鉄管の取り替え工事の場合にも利用できる。また、管の設置や取替えが下手側から順番に行われるとは限らない鉄管設備の工事において、任意の個所で個々に工事が進行する場合でも、全体構成の表示から工事の進捗状況を把握できるので、鉄管設備の各種工事の管理に役立てることができる。
【発明を実施するための最良の形態】
【００１４】
図１は、水力発電所の鉄管設備工事の進捗状況を把握するための手段として使用される工事管理シートの一例を示す。
【００１５】
この工事管理シート１は、複数の鉄管を長さ方向に連結して形成される鉄管設備２の全体構成を示す表示部として、設計時の全体断面図を１枚の用紙に収まる形で表示している。この断面図では、鉄管設備２を基礎に固定する個所、例えば、最上部（ＩＰ−１）、屈曲部（ＩＰ−２）、最下部（ＩＰ−３）、吐出部（ＩＰ−４）等の４個所が示されている。従って、この場合、鉄管設備２が支持される個所は、最上部（ＩＰ−１）の基礎Ｎｏ．１ＡＢ、屈曲部（ＩＰ−２）の基礎Ｎｏ．２ＡＢ、最下部（ＩＰ−３）の立坑の入口部、及び吐出部（ＩＰ−４）の吐出口である。
【００１６】
また、この工事管理シート１には、鉄管設備２の各部の高さ、長さ、傾き、鉄管の番号及び種類等の情報が併せて表示され、これらの情報も含めて、全体を把握できるように、下記の項目ごとに状況を表示するための区画欄が設けられている。詳細には、各鉄管に管番号（１，２，３，・・・，３４，３５）が付けられ、これらの管番号に対応して、工事管理のための項目である設計、材料手配、工場製作、据付等の工程と管の種類を、後述のように着色表示するための区画に区分した欄が設けられている。これらの項目は、図示の例の場合、左上の項目表示部３に、各鉄管の「管番号」、工事の各工程を表す「設計」、「材料手配」、「工場製作」及び「据付」、並びに「管の種類」として表記されている。
【００１７】
更に、「管の種類」として、直管、曲管、漸縮管、伸縮管の種別を「Ｓ」、「Ｂ」、「Ｔ」、「Ｅ」の文字で表す種類表示部４が設けられている。これらの文字により各鉄管を種別すると共に、鉄管ごとの設計、材料手配、工場製作、据付等の各工程の状況を上記区画の欄に沿って表示することができる。
【００１８】
なお、図示の例のような鉄管設備２の総延長は、最長でも５００m程度で、一般的には２００〜３００m程度であり、鉄管は３m×３本直列＝９mを１ユニットとして管理されているので、鉄管設備２も、このようなユニット単位による管理が好適である。すなわち、鉄管は、直径が略３mの管部材を３本（或いは２本）直列接続して構成された直管Ｓを１ユニットとし、他に、複数個の管部材から成る曲管Ｂ、漸縮管Ｔ及び伸縮管Ｅが用いられている。
【００１９】
図示の鉄管設備２においては、管番号１の鉄管は直管Ｓで、２本の管部材から成り、管番号２の鉄管は曲管Ｂで、７本の管部材から成っている。これら管番号１及び２の鉄管は、両者とも基礎Ｎｏ．１ＡＢ上に設置される。
【００２０】
続いて、管番号３の伸縮管Ｅ、管番号４の直管Ｓから管番号１４の直管Ｓ、及び管番号１５の伸縮管Ｔが連続して接続されている。この管番号３の伸縮管Ｅから管番号１４までの直管Ｓは、夫々３つの管部材から成り、２つの管部材から成る漸縮管Ｔによって、鉄管設備２の上半部の温度差による熱膨張伸縮が可能に形成されている。
【００２１】
続いて、７つの管部材から成る管番号１６の曲管Ｂと、次の３つの管部材から成る管番号１７の直管Ｓとが、基礎Ｎｏ．２ＡＢ上に設置されるが、この基礎上の管番号１６の曲管Ｂにおいて鉄管設備が僅かに屈曲して支持されている。
【００２２】
続いて、管番号１６の曲管Ｂに続く３つの管部材から成る管番号１７の直管Sと、３つの管部材から成る管番号１８の伸縮管Ｅと、夫々３つの管部材から成る、管番号１９から管番号２７までの直管Ｓとが、連続して接続されている。更に、これに連続して、夫々３つの管部材から成る管番号２８の漸縮管Ｔと管番号２９の直管Ｓとが接続され、管番号２９の直管Ｓが立坑の入口部分にて支持される。従って、管番号１８の伸縮管Ｅによって、鉄管設備２の下半分部分の温度差による熱膨張伸縮が可能になっている。
【００２３】
更に、管番号２９の直管Ｓに続いて、８つの管部材から成る管番号３０の曲管Ｂと、夫々２つの管部材から成る管番号３１、３２の直管Ｓと、９つの管部材から成る管番号３３の曲管Ｂとが、立坑内に連続してかつ略垂直に支持されると共に、管番号３３の曲管Ｂにおいて水の流れる方向が略直角に水平方向に変換されるように鉄管設備２が屈曲されて支持される。
【００２４】
更に、管番号３４、３５の直管Ｓが接続され、例えば発電機に続く水平な吐出管へ延びている。
【００２５】
工事管理シート１においては、各工程毎に工事が完了した個所の該当項目の欄５が、その都度、項目表示部３の工程毎に工事完了を示すため、工事管理シート１の枠外に示された色別表示部６の凡例で決められた個別の色によって色分け表示される。これにより、工事管理者は、各工程の完了／未完了を視覚的に認識することができる。
【００２６】
すなわち、工事管理シート１において、該当個所の個々の工程が完了したならば、項目表示部３の対応する工程毎に、該当項目の欄５が色別表示部６で決められた色で着色される。例えば、設計工程は青色、材料手配工程は黄色、工場製作工程は緑色、更に据付工程は赤色で示されるので、各工程毎に完了した個所（鉄管）の該当項目の欄５がそれぞれ異なる色で区別される。この着色される欄５により、鉄管設備工事の進捗状況表示部が構成される。
【００２７】
図１の表示例では、管番号１から３５までの鉄管の全てについて「設計」工程が完了していることを示すため、項目表示部３の「設計」に対応する、管番号１から３５までの区画欄５ａが全て、色別表示部６の凡例で決められた青色で着色されている。
【００２８】
次の「材料手配」工程については、管番号１〜３、１５〜１８、２８〜３３までの鉄管の材料手配が済んでいて、項目表示部３の「材料手配」に対応する区画欄５ｂの鉄管の個所が色別表示部６の凡例で決められた黄色で着色され、残りの鉄管区画については、未だ材料手配工程が終了していないので、未着色であり、白抜きのままである。すなわち、該当する項目の欄が未着色で白抜きであることから、該当工事の工程が完了していないことがわかる。このような表示により、工事の進捗状況が一目で判り確実に把握できる。
【００２９】
次の「工場製作」工程では、管番号２、１６の鉄管の「工場製作」の項目の欄５ｃが、色別表示部６で決められた色（緑色）で部分的に着色されている。また、管番号２９〜３３までの鉄管は、工場製作工程の該当する個所の欄が色別表示部６で決められた色の緑色で着色されている。これらの着色表示は、工場製作工程が部分的に行われているが、該当する鉄管ユニットの製作がまだ完了せず、製作の途中であり、鉄管ユニットの一部だけが製作されていることを示している。
【００３０】
次の「据付」工程では、管番号３２、３３の鉄管の据付工程が完了していて該当項目の欄５ｄが、色別表示部６で決められた赤色で着色されており、残りの鉄管の番号（管番号）１から３１までは未着色で、該当項目の欄が白抜きである。  すなわち、鉄管３２、３３だけが全ての工程が完了していて全ての項目の欄が色別表示部６で決められた凡例の色で夫々着色されている。
【００３１】
このように、鉄管設備の工事管理シート１では、工程毎にそれぞれの項目の該当する欄５が色別表示部６で決められた色で着色され、かつ色で区分されるので、これにより一目で、鉄管工事の進捗状況や問題のある箇所等を把握することができる。
【００３２】
上記工事管理シート１には、鉄管設備２の設計時の全体断面図が示され、鉄管毎に、設備工事が設計工程、材料手配工程、工場製作工程、据付工程の４つの項目に分けられて示されると共に、管番号と管の種類とが表示される。
【００３３】
上記のように構成された工事管理シートを用いる鉄管設備の工事管理方法は、鉄管設備設計時のＣＡＤデータを取り込む工程と、鉄管設備全体を表示する工程と、該表示の中に設計、材料手配、工場製作、据付の各工程と管番号及び管の種類とを項目別に分けて表示する工程と、鉄管設備の設備工事各工程の完了毎に該当項目の欄に異なる色を着けて表示する工程とを含む。これにより、視覚的に工事全体の進捗状況を把握できる。また、水圧鉄管を設置する高低差や管径も表記できる。更に、コンピュータを用いて鉄管設備設計時のＣＡＤデータを入力してＣＡＤデータから鉄管設備の断面図を自動生成し、且つ設備工事各工程の進捗状況を進捗比率として計算することも可能である。
【００３４】
工事管理装置は、鉄管設備設計時のＣＡＤデータの取り込み手段と、進捗情報定義手段と、工事進捗管理手段と、進捗比率自動計算手段とを有し、鉄管設備工事進捗データベースに連携されていて、水圧鉄管を設置する高低差や管径を断面としての表示の中に組み込み、視覚的に工事の全体の進捗状況を把握するように工事の詳細な進捗状況を表示し、取り込んだＣＡＤデータから自動生成して表示される水圧鉄管の設備工事の各工程の進捗状況を進捗比率として計算して数値で管理するので、これによって、工事の進捗状況の遅れや進みを数値管理することができる。
【００３５】
従って、上記した鉄管設備の工事管理シートを用いた工事管理方法及び工事管理装置においては、前工程である設計工程のＣＡＤデータ等の必要なデータをコンピュータに入力することにより、工事の進捗状況を確認することができ、コンピュータを用いて設備工事の管理ができるようになっている。
【００３６】
すなわち、鉄管設備の工事管理方法及び工事管理装置においては、設計工程のCADデータによって、鉄管設備の断面図が自動生成されてコンピュータのディスプレイに表示される。このようなコンピュータのディスプレイに表示された鉄管全体の断面図は、図１の工事管理シート１の鉄管設備２の断面図と同様に、鉄管毎に管番号が付けられており、従って、鉄管毎に工事の工程管理をコンピュータにおいて、色別表示部６で決められた色で着色する手段によって着色表示することができ、更に、鉄管の種類が記号表示されている。
【００３７】
従って、この断面図に示される鉄管番号の個所をクリックすることによって、その鉄管に関る工程の進捗状況や日付及び鉄管の種類等の詳細情報、すなわち各工程の進捗状況や日付、管の種類等、を入力して表示することが可能になる。
【００３８】
更に、コンピュータは、鉄管設備工事の各工程の進捗状況を、進捗度、すなわち進捗比率（％）として計算し、且つ鉄管総数から１つの鉄管の占める割合すなわち比率（％）を計算して、全体進捗における現時点の工事の進捗度を進捗比率（％）で表示するようになる。これによって、水圧鉄管の設備工事の各工程の遅れや進み具合等の進捗状況を、進捗比率（％）としての数値で管理することができる。
【００３９】
図２は、このような鉄管設備の工事管理方法を実施するための工事管理装置を示すブロック図で、工事管理装置の各手段がブロックで示されている。
【００４０】
この工事管理装置１０は、ＣＡＤデータ取り込み手段１１と、進捗情報定義手段１２と、工事進捗管理手段１３と、進捗比率自動計算手段１４とで構成され、この工事管理装置１０が鉄管設備工事進捗データベース１６と連携するようになっている。
【００４１】
従って、この工事管理装置１０によって、ＣＡＤデータ取り込み手段１１において前工程である設計工程のＣＡＤデータ等の必要なデータをコンピュータに入力することにより、工事の進捗状況を確認することができる。
【００４２】
すなわち、鉄管設備の工事管理装置１０においては、設計工程のＣＡＤデータによって断面図が自動生成される。生成された断面図は、各鉄管に管番号が付けられており、夫々の鉄管毎に工程管理を色別によって色塗りすることができ、更に、鉄管の種類が記号表示されている。
【００４３】
従って、この断面図に示される鉄管番号の個所をクリックすることによって、その鉄管に関る工程の進捗状況や日付及び鉄管の種類等の詳細情報を、入力、表示することが可能になる。更に、コンピュータは、各工程の進捗状況を、進捗比率（％）として計算し、且つ鉄管総数から１つの鉄管の占める割合、すなわち比率（％）を計算して、全体進捗における現時点の進捗度を進捗比率（％）で表示するようになる。これによって、鉄管設備の工事管理装置１０のＣＡＤデータ取り込み手段１１、進捗情報定義手段１２、工事進捗管理手段１３、進捗比率自動計算手段１４を介して進捗比率が自動計算され、水圧鉄管の設備工事の遅れや進み等の進捗状況を、進捗比率（％）としての数値で管理することができる。
【００４４】
図３は、全体の進捗状況管理テーブル３０を示す図で、鉄管設備の管番号３１と、管の種類３２と、基礎の有無３３と、進捗情報３４とが示されている。
【００４５】
また、進捗情報３４としては、各鉄管の進捗状況管理テーブル３５が示されており、工程３６としての設計工程３７、材料手配工程３８、工場製作工程３９、据付工程４０の各工程と、これら工程の完了日４２と、工事者等の登録者４４とが示されるようになっている。
【００４６】
例えば、進捗情報３４としての各鉄管の進捗状況管理テーブル３５において、設計工程３７の設計完了日４２がＹＹＹＹ年ＭＭ月ＤＤ日で、その時の設計の登録者４４は、登録者ＡＢＣＤ１２３４であり、材料手配工程３８は完了日４２がＹＹＹＹ年ＭＭ月ＤＤ日に完了しており、その時の材料手配の登録者４４はＡＢＣＤ９８７６である。
【００４７】
なお、この場合の工場製作工程３９と据付工程４０は、共に完了しておらず、登録者も決まっておらず、従って、進捗テーブル３５の完了日４２と登録者４４の項目欄には「ＮＯＮＥ」の表示が夫々該当項目において行われている。
【００４８】
このようにして、図３の全体の進捗状況管理テーブル３０から鉄管全体における各鉄管の工事工程の進捗状況を知ることができる。
【００４９】
図４は、鉄管設備工事の進捗情報定義テーブル５０を示す図で、進捗情報定義における各々の名称５１と数値５２とが表示されている。
【００５０】
この進捗情報定義テーブル５０においては、全鉄管数５３は値５２が３５個であり、基礎のある個所５４は値５２が３個所で、設計完了色５５は青（色）で、材料手配完了色５６は黄（色）で、工場製作完了色５７は緑（色）で、据付完了色５８は黄（色）であり、更に、設計進捗比率５９、材料手配進捗比率６０、工場製作進捗比率６１及び据付進捗比率６２は、いずれも２５％である。
【００５１】
図５は、鉄管設備の工事管理方法及び工事管理装置における進捗比率の自動計算処理の手順を示すフローチャートである。
【００５２】
先ず、この処理は、所要データを入力したコンピュータで実行される。
【００５３】
初めにＳＴ１で総鉄管数を得る。
【００５４】
次いで、ＳＴ２で総鉄管数から１鉄管の占める進捗比率を計算する。すなわち、進捗比率＝１/総鉄管数の式から、１鉄管数に対する総鉄管数の商を求めて進捗比率を得る。
【００５５】
続いて、ＳＴ３において、全体進捗比率を０％に設定する。
【００５６】
次のＳＴ４においては、全ての鉄管の進捗比率を計算したか否かを確認して、計算が済んだならば、「ＹＥＳ」に従ってＳＴ１１に進み、全体進捗を返却値として進捗比率の自動計算を終了し、進捗比率自動計算の処理を終了する。
【００５７】
また、上記の全ての鉄管の進捗比率を計算するＳＴ４において、全ての鉄管の進捗比率の計算が済まない場合には、ＳＴ４の「ＮＯ」の表示に従って、ＳＴ５で、１管進捗＝０％に設定し、ＳＴ６において設計が完了していれば、設計の進捗比率が加算される。そして、ＳＴ７で、材料手配が完了していれば、材料手配の進捗比率が加算されて、次に進んでＳＴ８で、工場製作が完了していれば、工場製作の進捗比率が加算される。そして、更に、ＳＴ９において、据付が完了していれば、据付の進捗比率が加算されて、次のＳＴ１０で、１管進捗に、進捗比率を掛け算して、その値を全体進捗比率に加算して、全体進捗＝全体進捗＋（１管進捗×進捗比率）の式から全体進捗比率を求める。これによって、前のＳＴ４に戻って、全ての鉄管の進捗比率の計算が済んだか否かが再度確認される。
【００５８】
そして、「ＹＥＳ」ならば、ＳＴ１１に進んで、全体進捗を返却値として、進捗比率の自動計算が終了する。
【００５９】
もし、全ての鉄管の進捗比率の計算が済んでなければ、再び「ＮＯ」の表示に従って、ＳＴ５から上記したと同様にしてＳＴ６の設計工程、ＳＴ７の材料手配工程、ＳＴ８の工場製作工程、ＳＴ９の据付工程のそれぞれの確認を経てＳＴ１０へと順に進んで、全体進捗比率等の、再度の計算が繰り返し行われるようになる。
【００６０】
このようにして、水圧鉄管の設備工事の進捗比率の自動計算が所期の通りに行われて、水圧鉄管の設備工事の進捗比率を求めることが出来るようになるので、これによって水圧鉄管の設備工事の進捗状況管理を良好に行うことができる。
【００６１】
上記した鉄管設備の工事管理シート、工事管理方法及び工事管理装置では、前工程である設計工程のＣＡＤデータ等の必要なデータをコンピュータに入力することによって、工事の進捗状況を確認することができる。
【００６２】
すなわち、鉄管設備の工事管理シート、工事管理方法及び工事管理装置においては、先ず、設計工程のＣＡＤデータによって鉄管の全体の断面図が自動生成される。この生成された鉄管全体の断面図は、各鉄管に管番号が付けられており、更に、鉄管の種類が記号表示されていて項目別に分けられており、鉄管毎に工事の工程管理をそれぞれ色塗りすることができる。
【００６３】
従って、この断面図に示される鉄管番号の個所をクリックすることによって、その鉄管に関る各工程の進捗状況や日付及び鉄管の種類等の詳細情報を、入力、表示することが可能になる。更に、コンピュータは、各工程の進捗状況を、進捗度、すなわち進捗比率（％）として計算し、且つ鉄管総数から１つの鉄管の占める割合、すなわち比率（％）を計算して、全体の進捗状況における現時点の進捗度を進捗比率（％）で表示するようになる。
【００６４】
これによって、水圧鉄管の設備工事の各工程での遅れや進み等の進捗状況を、各鉄管毎に、進捗比率（％）としての数値で管理することができる。
【００６５】
本発明は、以上の実施形態に限定されるものではなく、種々の変更又は変形ができるものである。
【図面の簡単な説明】
【００６６】
【図１】鉄管設備工事の進捗状況の管理図としての工事管理シートを示す図である。
【図２】鉄管設備工事の進捗状況の工事管理装置を示すブロック図である。
【図３】鉄管設備工事の進捗状況の全体の進捗状況管理テーブルを示す図である。
【図４】鉄管設備工事の進捗情報定義テーブルを示す図である。
【図５】鉄管設備工事の進捗比率の自動計算処理の手順を示すフローチャートである。
【符号の説明】
【００６７】
１…工事管理シート、２…鉄管設備、３…項目表示部、４…管の種類表示部、５…着色される区画欄（進捗状況表示部）、６…工程の色別表示部、１０…工事管理装置、１１…ＣＡＤデータ取り込み手段、１２…進捗情報定義手段、１３…工事進捗管理手段、１４…進捗比率自動計算手段、１６…鉄管設備工事進捗データベース、３０…全体の進捗状況管理テーブル、３１…管番号、３２…管の種類、３３…基礎の有無、３４…進捗情報、３５…各鉄管の進捗状況管理テーブル、３６…工程、３７…設計工程、３８…材料手配工程、３９…工場製作工程、４０…据付工程、４２…完了日、４４…登録者、５０…進捗情報定義テーブル、５１…名称、５２…値、５３…全鉄管数、５４…基礎のある箇所、５５…設計完了色、５６…材料手配完了色、５７…工場製作完了色、５８…据付完了色、５９…設計進捗比率、６０…材料手配進捗比率、６１…工場製作進捗比率、６２…据付進捗比率。
【図１】
2007058441.tif 000003
【図２】
2007058441.tif 000004
【図３】
2007058441.tif 000005
【図４】
2007058441.tif 000006
【図５】
2007058441.tif 000007